(57)【要約】【課題】上下を逆にして仮設足場用支柱に取り付けることが可能であって、上下寸法を小さくできて小型化を図ることができる仮設用防音パネルの取付クランプを提供すること。【解決手段】取付クランプ１０は、外面に仮設足場用構成部材を連結するための連結部が外側へ突出して設けられた仮設足場用支柱２に結合されるクランプ本体１１と、クランプ本体１１に設けられたピン部１２とを含んで構成され、ピン部１２は、水平部１２Ａと、水平部１２Ａの先端に接続された状態となっている鉛直部１２Ｂとを有し、クランプ本体１１に対してピン部１２は、上方向と下方向のうち、一方の方向にずれており、鉛直部１２Ｂが、防音パネル５の枠部材７の孔に下側から挿入されることで防音パネル５が支柱２に取り付けられ、ピン部１２の水平部１２Ａの先端が、鉛直部１２Ｂの上端部と下端部との間において、鉛直部１２Ｂに接続された状態となっている。【選択図】図１
2015078569.tif 000002
【特許請求の範囲】
【請求項１】
外面に仮設足場用構成部材を連結するための連結部が外側へ突出して設けられた仮設足場用支柱に結合されるクランプ本体と、このクランプ本体に設けられたピン部とを含んで構成されたクランプであって、
前記ピン部が、水平方向へ延びている水平部と、この水平部の先端に接続された状態となっていて、鉛直方向に延びている鉛直部とを有し、前記クランプ本体に対して前記ピン部が、上方向と下方向のうち、一方の方向にずれて配設されており、前記鉛直部が、防音パネルの周辺部に配設されている枠部材の孔に下側から挿入されることにより、前記防音パネルが前記仮設足場用支柱に取り付けられる仮設用防音パネルの取付クランプにおいて、
前記ピン部の前記水平部の先端が、前記ピン部の前記鉛直部の上端部と下端部との間において、この鉛直部に接続された状態となっていることを特徴とする仮設用防音パネルの取付クランプ。
【請求項２】
請求項１に記載の仮設用防音パネルの取付クランプにおいて、前記ピン部は、上下２個のピン部材によって形成されているとともに、これらのピン部材は、水平方向へ延びる水平部と、この水平部の先端から鉛直方向へ延びる鉛直部とからなるＬ字状になっており、それぞれの前記ピン部材の前記水平部同士は上下方向に接触しており、前記上下２個のピン部材のうち、上側のピン部材の前記鉛直部は、このピン部材の前記水平部の先端から上向きに延びており、下側のピン部材の前記鉛直部は、このピン部材の前記水平部の先端から下向きに延びていることを特徴とする仮設用防音パネルの取付クランプ。
【請求項３】
請求項２に記載の仮設用防音パネルの取付クランプにおいて、前記上下２個のピン部材のそれぞれは、棒材の折り曲げによって形成されていることを特徴とする仮設用防音パネルの取付クランプ。
【請求項４】
請求項１に記載の仮設用防音パネルの取付クランプにおいて、前記ピン部は、前記水平部を形成している水平部材の先端に、前記鉛直部を形成している鉛直部材を接合することにより形成されていることを特徴とする仮設用防音パネルの取付クランプ。
【請求項５】
請求項１に記載の仮設用防音パネルの取付クランプにおいて、前記ピン部は、前記水平部と前記鉛直部とが一体となった一体部材により形成されていることを特徴とする仮設用防音パネルの取付クランプ。
【請求項６】
請求項１〜５のいずれかに仮設用防音パネルの取付クランプにおいて、前記クランプ本体と前記ピン部との間には、前記仮設足場用支柱に対する前記ピン部の位置をこの仮設足場用支柱に設けられている前記連結部の位置よりも外側とするための延長部が設けられていることを特徴とする仮設用防音パネルの取付クランプ。
【請求項７】
請求項６に仮設用防音パネルの取付クランプにおいて、前記延長部は、板材の折り曲げで形成された延長部材となっていることを特徴とする仮設用防音パネルの取付クランプ。
【請求項８】
請求項７に仮設用防音パネルの取付クランプにおいて、前記延長部材には、折り曲げ部を介して接続された状態になっている２つの箇所に結合された補強部材が接合されていることを特徴とする仮設用防音パネルの取付クランプ。
【請求項９】
請求項６に仮設用防音パネルの取付クランプにおいて、前記延長部と前記ピン部が、これらの延長部とピン部とが一体となった一体部材により形成されていることを特徴とする仮設用防音パネルの取付クランプ。
【発明の詳細な説明】
【技術分野】
【０００１】
本発明は、仮設足場を構成する支柱に防音パネルを取り付けるためのクランプに係り、例えば、建築作業現場や解体作業現場等で構築される仮設足場に配設される防音パネルに利用できるものである。
【背景技術】
【０００２】
建築作業現場や解体作業現場等の作業現場で構築される仮設足場には、作業騒音や作業部品等の外部への漏出を抑制するために防音パネルが配設される。この防音パネルは、下記の特許文献１及び特許文献２に示されているように、仮設足場用支柱に結合される取付クランプによりこの支柱に取り付けられるようになっている。これを具体的に説明すると、この取付クランプは、仮設足場用支柱に結合されるクランプ本体と、このクランプ本体に設けられたピン部とを含んで構成されたものになっており、このピン部が、水平方向へ延びている水平部と、この水平部の先端に接続された状態になっていて、鉛直方向に延びている鉛直部とを有し、この鉛直部が、防音パネルの周辺部に配設された枠部材の孔に下側から挿入されることにより、防音パネルが仮設足場用支柱に取り付けられる。
【０００３】
また、特許文献２に示されている取付クランプでは、仮設足場用支柱の外面に手摺り部材等の仮設足場用構成部材を連結するための連結部が外側へ突出して設けられていることを考慮して、クランプ本体に対してピン部を、上方向と下方向のうち、一方の方向にずれて配設しており、これにより、ピン部の高さ位置が連結部と対応する位置となっても、クランプ本体を連結部と干渉させずに仮設足場用支柱に結合できるようにしている。
【０００４】
さらに、特許文献２に示されている取付クランプのなかには、Ｌ字状となっている２個のピン部を上下に離して設けるとともに、これらのピン部の水平部からのそれぞれの鉛直部の向きを上下逆とした取付クランプがあり、この取付クランプによると、クランプ本体を上下を逆にして仮設足場用支柱に結合できる。
【先行技術文献】
【特許文献】
【０００５】
【特許文献１】特開２０１１−４７１９１号公報（図３及び図５）
【特許文献２】特開２０１３−８３０６１号公報（図１〜図６及び図１２）
【発明の概要】
【発明が解決しようとする課題】
【０００６】
このように上下を逆にして仮設足場用支柱に取り付けることができるようになっている取付クランプでは、上下２個のピン部は、上下方向の長い長さを有する長寸法部材（特許文献２の用語では「取付腕」）の上下両端部に配置され、この長寸法部材の上下中間部にクランプ本体が結合されている。
【０００７】
これによると、クランプ本体から上下両方向へ延びる長い長さを有する長寸法部材を用いなければならないため、取付クランプの全体が大型化することになる。
【０００８】
本発明の目的は、上下を逆にして仮設足場用支柱に取り付けることができるとともに、上下寸法を小さくできて小型化を図ることができるようになる仮設用防音パネルの取付クランプを提供するところにある。
【課題を解決するための手段】
【０００９】
本発明に係る仮設用防音パネルの取付クランプは、外面に仮設足場用構成部材を連結するための連結部が外側へ突出して設けられた仮設足場用支柱に結合されるクランプ本体と、このクランプ本体に設けられたピン部とを含んで構成されたクランプであって、前記ピン部が、水平方向へ延びている水平部と、この水平部の先端に接続された状態になっていて、鉛直方向に延びている鉛直部とを有し、前記クランプ本体に対して前記ピン部が、上方向と下方向のうち、一方の方向にずれて配設されており、前記鉛直部が、防音パネルの周辺部に配設されている枠部材の孔に下側から挿入されることにより、前記防音パネルが前記仮設足場用支柱に取り付けられる仮設用防音パネルの取付クランプにおいて、前記ピン部の前記水平部の先端が、前記ピン部の前記鉛直部の上端部と下端部との間において、この鉛直部に接続された状態になっていることを特徴とするものである。
【００１０】
この取付クランプでは、クランプ本体に対してピン部が、上方向と下方向のうち、一方の方向にずれて配設されているため、仮設足場用構成部材を連結するための連結部が仮設足場用支柱の外面に外側へ突出して設けられていて、ピン部の高さ位置がこの連結部と対応する位置となっても、クランプ本体を連結部と干渉させずに仮設足場用支柱に結合できるようになる。
【００１１】
また、ピン部は、水平方向へ延びている水平部と、この水平部の先端に接続された状態になっていて、鉛直方向に延びている鉛直部とを有しているとともに、ピン部の水平部の先端が、ピン部の鉛直部の上端部と下端部との間において、この鉛直部に接続された状態になっているため、言い換えると、ピン部は横向きのＴ字状となっているため、鉛直部を防音パネルの周辺部に配設された枠部材の孔に下側から挿入することにより、防音パネルを仮設足場用支柱に取り付けることは、本発明に係る取付クランプを仮設足場用支柱に上下を逆にして結合しても行えることになる。
【００１２】
これによると、クランプ本体の高さ位置が、仮設足場用構成部材を連結するために仮設足場用支柱の外面に設けられている連結部と対応する位置になっても、取付クランプを上下を逆にして仮設足場用支柱に結合することにより、クランプ本体とこの連結部とが干渉することを避けることができる。
【００１３】
そして、このように本発明に係る取付クランプが上下を逆にしても用いることができるようになっている理由は、上下方向の長い長さを有する長寸法部材の上下両端部にＬ字状の２個のピン部を上下に離しかつ上下を逆にして設けて、この長寸法部材の上下中間部にクランプ本体を結合しているのではなく、ピン部の水平部の先端が、ピン部の鉛直部の上端部と下端部との間において、この鉛直部に接続された状態になっているからである。このため、取付クランプの全体の上下寸法を小さくできて、この取付クランプの小型化を図ることができる。
【００１４】
以上の本発明に係る取付クランプにおいて、ピン部は、任意の形態により形成することができる。
【００１５】
第１番目の形態は、ピン部を、上下２個のピン部材によって形成するとともに、これらのピン部材を、水平方向へ延びている水平部と、この水平部の先端から鉛直方向へ延びている鉛直部とからなるＬ字状とし、それぞれのピン部材の水平部同士を上下方向に接触させ、上下２個のピン部材のうち、上側のピン部材の鉛直部を、このピン部材の水平部の先端から上向きに延出させ、下側のピン部材の鉛直部を、このピン部材の水平部の先端から下向きに延出させることである。
【００１６】
この第１番目の形態に係るピン部によると、２個のピン部材の水平部同士は上下方向に接触しているため、２個のピン部材のうち、一方のピン部材の上向きの鉛直部を防音パネルの枠部材の孔に下側から挿入することにより、防音パネルの重量をこのピン部材が支持したときに、他方のピン部材の水平部によっても防音パネルの重量を支持できることになる。
【００１７】
このような２個のピン部材は、例えば、棒材の折り曲げによって形成することができる。
【００１８】
第２番目の形態のピン部は、水平部材により水平部を形成するとともに、鉛直部材により鉛直部を形成し、水平部材の先端に鉛直部材を接合することにより、これらの水平部材と鉛直部材とを結合一体化したものである。
【００１９】
水平部材及び鉛直部材は、棒材によるものでもよく、プレス加工された板材等によるものでもよく、その材料は任意である。
【００２０】
第３番目の形態のピン部は、水平部と鉛直部とが一体となった一体部材により形成されているものである。
【００２１】
水平部と鉛直部とが一体となった一体部材は、鍛造品でもよく、鋳造品でもよく、打ち抜き加工品等でもよく、その材料は任意である。
【００２２】
また、本発明に係る取付クランプでは、クランプ本体に、ピン部を形成する部材を直接取り付けてもよく、あるいは、クランプ本体とピン部との間に、仮設足場用支柱に対するピン部の位置をこの仮設足場用支柱に設けられている前記連結部の位置よりも外側とするための延長部を設けてもよい。
【００２３】
後者によると、延長部により、仮設足場用支柱に対するピン部の位置をこの支柱に設けられている連結部の位置よりも外側とすることができるため、ピン部の高さ位置が支柱における連結部の高さ位置と一致又は略一致しても、ピン部と連結部とが干渉することをなくすことができる。
【００２４】
また、上記後者における延長部は任意の材料で形成することができ、その一例は、板材の折り曲げ品となっている延長部材により延長部を形成することである。
【００２５】
また、この延長部材には、折り曲げ部を介して接続された状態になっている２つの箇所に結合された補強部材を接合してもよい。
【００２６】
これによると、板材の折り曲げ品で形成された延長部材の強度を、補強部材により、防音パネルの重量を充分に支持できる大きさにできる。
【００２７】
さらに、延長部とピン部を、これらの延長部とピン部とが一体となった一体部材により形成してもよい。
【００２８】
このように延長部とピン部を、これらの延長部とピン部とが一体となった一体部材により形成することは、この一体部材を、鍛造品や、鋳造品、あるいは、打ち抜き加工品等とすることにより実現でき、一体部材の材料は任意である。
【００２９】
そして、延長部とピン部を、これらの延長部とピン部とが一体となった一体部材により形成することにより、防音パネルの重量を充分支持できる強度を取付クランプに付与できるとともに、この一体部材をクランプ本体に溶接又はボルト等の締結具で結合すると、クランプ本体に延長部とピン部とを同時に設けることができるため、延長部とピン部とを有する取付クランプを容易に製造することができる。
【００３０】
なお、以上の説明において、本発明に係る取付クランプに設けるピン部の個数は、このピン部によって取付クランプに取り付けられる防音パネルの個数に応じたものである。例えば、高さ位置が同じで水平方向に２個並設される防音パネルについては、ピン部の個数は２個となり、２個の防音パネルが同じ高さ位置で直角に配設され、これらの防音パネルの間にコーナーパネルが介設される場合には、２個の防音パネルと１個のコーナーパネルのために、ピン部の個数は３個となる。
【００３１】
また、本発明において、仮設足場用構成部材を連結するために仮設足場用支柱の外面に外側へ突出して設けられる前記連結部は、ポケット部材によるものでもよく、フランジ部材によるものでもよい。
【００３２】
また、この連結部により仮設足場用支柱に連結される前記仮設足場構成部材は、手摺り部材でもよく、足場板（布板）でもよく、仮設足場を構成するための任意の部材でよい。
【００３３】
また、本発明に係る取付クランプは、仮設足場用支柱の連結部に仮設足場構成部材が連結されない場合、すなわち、この支柱は仮設足場を構築するために用いることができるものになっているが、この支柱が、例えば、単に防音パネルを取り付けるために建築作業現場等で立設される場合にも、適用することができる。
【発明の効果】
【００３４】
本発明によると、仮設用防音パネルのための取付クランプを上下を逆にしても仮設足場用支柱に取り付けることができるとともに、この取付クランプの上下寸法を小さくできて小型化を図ることができるという効果を得られる。
【図面の簡単な説明】
【００３５】
【図１】図１は、本発明の第１実施形態に係る取付クランプにより防音パネルを仮設足場に配設した状態を示す正面図である。
【図２】図２は、水平方向と上下方向に並設される防音パネルのうち、最上段の２個の防音パネルを第１実施形態の取付クランプに取り付けた状態を示す平面図である。
【図３】図３は、第１実施形態の取付クランプの全体を示す斜視図である。
【図４】図４は、第１実施形態の取付クランプの正面図である。
【図５】図５は、第１実施形態の取付クランプの平面図である。
【図６】図６は、防音パネルの全体を示す斜視図である。
【図７】図７は、高さ位置が同じであって直角に配置される２個の防音パネルと、１個のコーナーパネルとを第２実施形態の取付クランプにより仮設足場に配設した状態を示す正面図であって、１個の防音パネルとコーナーパネルを省略して示した図である。
【図８】図８は、第２実施形態の取付クランプにより２個の防音パネルと１個のコーナーパネルを仮設足場に取り付けた状態を示す平面図である。
【図９】図９は、第２実施形態の取付クランプの全体を示す斜視図である。
【図１０】図１０は、第２実施形態の取付クランプの正面図である。
【図１１】図１１は、第２実施形態の取付クランプの平面図である。
【図１２】図１２は、第３実施形態の取付クランプの正面図である。
【図１３】図１３は、第４実施形態の取付クランプの正面図である。
【図１４】図１４は、第５実施形態の取付クランプの正面図である。
【図１５】図１５は、第５実施形態の取付クランプの平面図である。
【図１６】図１６は、第５実施形態の取付クランプの側面図である。
【発明を実施するための形態】
【００３６】
以下に本発明を実施するための形態を図面に基づいて説明する。図１には、本発明の第１実施形態に係る取付クランプ１０により防音パネル５を仮設足場１に配設したときの正面図が示されている。仮設足場１は、仮設足場用支柱２と、仮設足場用構成部材となっている手摺り部材３とを含んで構成されており、手摺り部材３の端部には楔状部材３Ａが設けられ、この楔状部材３Ａが、支柱２の外面に取り付けられたポケット部材４によって上下に貫通して形成されているポケット部に上側から打ち込み挿入されることにより、支柱２に手摺り部材３の端部が連結される。
【００３７】
ポケット部材４は、支柱２の外面の前後と左右に４個設けられているとともに、前後２個のポケット部材４と左右２個のポケット部材４は、上下のずれをもって支柱２に結合され、このように４個で一組をなすポケット部材４は、支柱２の長さ方向に複数組み設けられている。
【００３８】
本実施形態におけるポケット部材４は、仮設足場用構成部材となっている手摺り部材３を支柱２に連結するための連結部となっており、このような連結部は、仮設足場用構成部材の端部に設けられた楔状部材等の部材が挿入される孔が形成されたフランジ部材により形成してもよい。
【００３９】
図３には、図１で示されている取付クランプ１０の全体の斜視図が示されており、図４は、取付クランプ１０の正面図であり、図５は、取付クランプ１０の平面図である。取付クランプ１０は、クランプ本体１１と、このクランプ本体１１に設けられたピン部１２とを有するものであり、このピン部１２は、延長部１３を介してクランプ本体１１から下側かつ水平方向外側に離れた箇所に配置されている。クランプ本体１１は、支柱２を両側から挟着するための２個の挟着部材１４，１５と、これらの挟着部材１４，１５の端部同士を連結し、一方の挟着部材１４に対して他方の挟着部材１５を回動自在とするための連結軸１６と、挟着部材１４に基端部が軸１７Ａで回動自在に連結され、挟着部材１５のＵ字溝１５Ａに挿入可能となっているボルト１７と、このボルト１７に螺合されたナット１８とを有するものになっている。２個の挟着部材１４，１５を支柱２の両側に配置し、ボルト１７をＵ字溝１５Ａに挿入し、ナット１８の締付作業を行うことにより、２個の挟着部材１４，１５の挟着作用により、クランプ本体１１は支柱２に結合される。
【００４０】
延長部１３は、板材の折り曲げ品となっている延長部材２０により形成されている。この延長部材２０は、図４に示されているように、上下方向に延びている第１面部２０Ａと、この第１面部２０Ａの下端から斜め下側へ延びている第２面部２０Ｂと、この第２面部２０Ｂの下端から下方向へ延びている第３面部２０Ｃとを有し、第１面部２０Ａの両側の面のうち、第２面部２０Ｂが延びている側とは反対側の面が、クランプ本体１１の挟着部材１４の外面に溶接等で結合されている。また、第３面部２０Ｃの両側の面のうち、クランプ本体１１側とは反対側の面に、前述のピン部１２が設けられており、このピン部１２は、第３面部２０Ｃからクランプ本体１１側とは反対側へ突出している。
【００４１】
ピン部１２は、水平方向へ延びている水平部１２Ａと、この水平部１２Ａの先端に接続された状態となっていて、鉛直方向に延びている鉛直部１２Ｂとからなり、このため、ピン部１２は、水平部１２Ａと鉛直部１２Ｂにより横向きのＴ字状になっている。
【００４２】
本実施形態のピン部１２は、図４から分かるように、水平部２１Ａ，２２Ａと鉛直部２１Ｂ，２２ＢによってＬ字状となっている２個のピン部材２１，２２を延長部材２０の第３面部２０Ｃに上下に配置したものである。これらのピン部材２１，２２の水平部２１Ａ，２２Ａ同士は上下に互いに接触しており、２個のピン部材２１，２２のうち、上側のピン部材２１の鉛直部２１Ｂは、このピン部材２１の水平部２１Ａの先端から上向きに延びており、下側のピン部材２２の鉛直部２２Ｂは、このピン部材２２の水平部２２Ａの先端から下向きに延びている。それぞれの水平部２１Ａ，２２Ａの基端部は、延長部材２０の第３面部２０Ｃに形成された貫通孔に挿入されて、この第３面部２０Ｃに溶接で結合されている。
【００４３】
これにより、ピン部材２１，２２の水平部２１Ａ，２２Ａにより、ピン部１２の水平部１２Ａが形成されているとともに、ピン部材２１，２２の鉛直部２１Ｂ，２２Ｂにより、ピン部１２の鉛直部１２Ｂが形成されている。このため、ピン部１２は、水平方向へ延びている水平部１２Ａと、この水平部１２Ａの先端に接続された状態になっていて、鉛直方向に延びている鉛直部１２Ｂとを有しているとともに、水平部１２Ａの先端が、鉛直部１２Ｂの上端部と下端部との間において、この鉛直部１２Ｂに接続された状態になっている。
【００４４】
それぞれのピン部材２１，２２は丸棒材を折り曲げることによって形成されており、このようなピン部材２１，２２による上述のピン部１２は、図３及び図５に示されているように、延長部材２０の第３面部２０Ｃに水平方向に離れて２個設けられている。
【００４５】
また、延長部材２０には、クランプ本体１１側とは反対側の面において、板状の補強部材２３が溶接で接合されており、この補強部材２３は、ピン部１２と対応して水平方向に離れて２個設けられ、それぞれの補強部材２３は、板材の折り曲げ品である延長部材２０の折り曲げ部を介して接続された状態になっている第１面部２０Ａと第２面部２０Ｂの両方に結合されている。
【００４６】
図６には、図１で示されている防音パネル５の全体斜視図が示されている。この防音パネル５は、四角形の板状となっているパネル本体６の四周辺部に枠部材７を取り付け、この枠部材７におけるパネル本体６側とは反対側へ延出している上下２個の水平延出部７Ａ，７Ｂに長孔状の孔８を形成したものであり、この孔８は、枠部材７の４個の角部に対応して形成されている。
【００４７】
防音パネル５が図１で示した仮設足場１に配設されるときには、複数個の防音パネル５が水平方向と上下方向に並設され、図２には、これらの防音パネル５のうち、最上段において水平方向に並設されている２個の防音パネル５の平面図が示されている。
【００４８】
上下方向に２個の防音パネル５を並設して仮設足場１に配設するためには、図１に示されているように、支柱２に取付クランプ１０を結合した後に、この取付クランプ１０に設けられているピン部１２の鉛直部１２Ｂを、上下２個の防音パネル５のうち、下側の防音パネル５における枠部材７の上側水平延出部７Ａの孔８と、上側の防音パネル５における枠部材７の下側水平延出部７Ｂの孔８とに下側から挿入する。また、取付クランプ１０には、２個のピン部１２が水平方向に離れて設けられているため、水平方向に並設される２個の防音パネル５について、ピン部１２の鉛直部１２Ｂをこれらの防音パネル５の孔８に下側から挿入することを行う。
【００４９】
これにより、上下方向と水平方向とに隣接されて配設される防音パネル５は取付クランプ１０を介して支柱２に取り付けられ、このような取り付けは、間隔をあけて複数本が立設されるそれぞれの支柱２ごとに行うとともに、１本の支柱２に上下の間隔をあけて複数個が結合されるそれぞれの取付クランプ１０についても行う。
【００５０】
また、最上段において水平方向に並設されている２個の防音パネル５については、図２に示されているように、これらの防音パネル５における枠部材７の上側水平延出部７Ａの孔８だけにピン部１２の鉛直部１２Ｂを下側から挿入する。なお、水平方向に並設される２個の防音パネル５のうち、一方の防音パネル５の側面には、他方の防音パネル５との直接的接触を防止するための緩衝部材２４が取り付けられている。
【００５１】
以上により、仮設足場１に配設されるそれぞれの防音パネル５は、支柱２に取付クランプ１０により取り付けることになる。
【００５２】
以上説明した本実施形態の取付クランプ１０では、クランプ本体１１に対してピン部１２が延長部１３を介して下方向にずれて配設されている。このため、手摺り部材３を連結するための連結部となっているポケット部材４が支柱２の外面に外側へ突出して設けられていて、ピン部１２の高さ位置がポケット部材４と対応する位置となっても、クランプ本体１１をポケット部材４と干渉させずに支柱２に結合できる。
【００５３】
また、前述したように、ピン部１２は、水平方向へ延びている水平部１２Ａと、この水平部１２Ａの先端に接続された状態になっていて、鉛直方向に延びている鉛直部１２Ｂとを有しているとともに、水平部１２Ａの先端が、鉛直部１２Ｂの上端部と下端部との間において、この鉛直部１２Ｂに接続された状態になっているため、言い換えると、ピン部１２は横向きのＴ字状となっているため、取付クランプ１０を支柱２に上下を逆にして結合した場合にも、上述したように、防音パネル５の枠部材７の水平延出部７Ａ，７Ｂの孔８にピン部１２の鉛直部１２Ｂを下側から挿入することができ、これによってもそれぞれの防音パネル５を支柱２に取付クランプ１０で取り付けることができる。
【００５４】
図１には、上下を逆にしていない取付クランプ１０と、上下を逆にした取付クランプ１０とが支柱２に結合されている状態が示されており、取付クランプ１０の上下を逆にすることは、上下に逆にしないと、クランプ本体１１の高さ位置がポケット部材４の位置と一致又は略一致してしまい、クランプ本体１１とポケット部材４とが干渉してしまう場合に行われる。このため、取付クランプ１０を上下を逆にして支柱２に結合することにより、クランプ本体１１とポケット部材４とが干渉することを避けることができる。
【００５５】
また、本実施形態では、横向きのＴ字状となっているピン部１２は、クランプ本体１１に対し下側へずれて配設されている。したがって、Ｌ字状となっている２個のピン部を上下を逆にしてクランプ本体に対し上側と下側の両方にずれて配設しているのではないため言い換えると、上下方向の長さが長くなっている長寸法部材の上下両端部にＬ字状となっている２個のピン部を上下を逆にして配置し、この長寸法部材の上下中間部にクランプ本体を結合しているのではないため、取付クランプ１０の全体の上下寸法を小さくすることができ、これにより、取付クランプ１０の小型化を達成できる。
【００５６】
また、ピン部１２はクランプ本体１１に延長部１３を介して設けられたものとなっており、この延長部１３により、支柱２に対するピン部１２の位置をこの支柱２に設けられているポケット部材４の位置よりも外側とすることができるため、ピン部１２の高さ位置が支柱２におけるポケット部材４の高さ位置と一致又は略一致しても、ピン部１２とポケット部材４とが干渉することをなくすことができる。
【００５７】
さらに、本実施形態の延長部１３は、板材の折り曲げ品である延長部材２０により形成されており、この延長部材２０には、補強部材２３が接合されており、この補強部材２３は、折り曲げ部を介して接続された状態になっている２個の箇所である第１面部２０Ａと第２面部２０Ｂの両方に結合されているため、延長部材２０の強度を防音パネル５の重量を充分支持できる大きさに、補強部材２３の補強作用によりすることができる。
【００５８】
図７は、本発明の第２実施形態に係る取付クランプ３０により防音パネル５が仮設足場１に配設されたときを示しており、図８は、この取付クランプ３０が用いられている状態を示す図２と同様の図である。
【００５９】
この実施形態に係る取付クランプ３０は、図８から分かるように、２個の防音パネル５と、１個のコーナーパネル９とを支柱２に取り付けるために用いられ、２個の防音パネル５のうちの、一方の防音パネル５Ａと他方の防音パネル５Ｂは、同じ高さ位置において、直角に配設され、平面形状が直角に屈曲した形状となっているるコーナーパネル９は、これらの防音パネル５Ａと５Ｂの間に配置される。したがって、取付クランプ３０は、仮設足場１の直角をなすコーナー部に立設される支柱２に結合されるものである。図７には、それぞれが水平方向と上下方向に複数個が並設される防音パネル５Ａ，５Ｂと、上下方向に複数個が並設されるコーナーパネル９とのうち、上下方向に並設された防音パネル５Ａだけが示されている。
【００６０】
なお、コーナーパネル９には、図８に示されているように、防音パネル５の孔８に相当する孔９Ａが上下２個設けられている。
【００６１】
図９には、図７及び図８に示されている取付クランプ３０の全体の斜視図が示されており、図１０は、取付クランプ３０の正面図であり、図１１は、取付クランプ３０の平面図である。取付クランプ３０は、前述の実施形態の取付クランプ１０と同様に、クランプ本体１１と、このクランプ本体１１に設けられたピン部１２とを有するものであり、このピン部１２は、延長部１３を介してクランプ本体１１から下側かつ水平方向外側に離れた箇所に配置されている。
【００６２】
延長部１３は、板材の折り曲げ品となっている延長部材４０により形成されている。この延長部材４０も、図９に示されているように、上下方向に延びている第１面部４０Ａと、この第１面部４０Ａの下端から斜め下側へ延びている第２面部４０Ｂと、この第２面部４０Ｂの下端から下方向へ延びている第３面部４０Ｃとを有する。また、第１面部４０Ａと第３面部４０Ｃは、２個の防音パネル５Ａ，５Ｂに対応して、それぞれ２個設けられ、２個の第３面部４０Ｃ同士は、コーナーパネル９と対応する連結面部４０Ｄにより連結されている。２個の第１面部４０Ａは、クランプ本体１１の挟着部材１４の直角をなす２つの外面に結合されている。
【００６３】
ピン部１２は、それぞれの第３面部４０Ｃと連結面部４０Ｄとに合計３個設けられており、それぞれのピン部１２は、前述の実施形態と同様に、水平部１２Ａと鉛直部１２Ｂにより横向きのＴ字形状になっているとともに、これらのピン部１２は、前述したピン部材２１，２２を上下に並設させることにより形成されている。したがって、これらのピン部材２１，２２の水平部２１Ａ，２２Ａ同士は上下に接触し、これらのピン部材２１，２２のうち、上側のピン部材２１の鉛直部２１Ｂは、このピン部材２１の水平部２１Ａの先端から上向きに延びており、下側のピン部材２２の鉛直部２２Ｂは、このピン部材２２の水平部２２Ａの先端から下向きに延びている。
【００６４】
この実施形態の取付クランプ３０では、３個のピン部１２のうち、延長部材４０の２個の第３面部４０Ｃに設けられた２個のピン部１２により、同じ高さ位置で直角に配設される２個の防音パネル５についての取り付けが、前述の実施形態と同様に、防音パネル５の枠部材７の孔８にピン部１２の鉛直部１２Ｂが下側から挿入されることにより行われ、また、延長部材４０の連結面部４０Ｄに設けられた１個のピン部１２により、コーナーパネル９についての取り付けが、コーナーパネル９の孔９Ａにピン部１２の鉛直部１２Ｂが下側から挿入されることにより行われる。
【００６５】
そして、この実施形態の取付クランプ３０でも、クランプ本体１１に対してピン部１２が延長部１３を介して下方向にずれて配設されているため、手摺り部材３を連結するためのポケット部材４が支柱２の外面に外側へ突出して設けられていて、ピン部１２の高さ位置がポケット部材４と対応する位置となっても、クランプ本体１１をポケット部材４と干渉させずに支柱２に結合できる。
【００６６】
また、前述したように、ピン部１２は、横向きのＴ字状になっているため、取付クランプ３０を上下を逆にして支柱２に結合しても、より具体的には、取付クランプ３０の上下を逆にし、かつ取付クランプ３０を支柱２を中心に９０度回動させて支柱２に結合することによっても、防音パネル５の孔８やコーナーパネル９の孔９Ａにピン部１２の鉛直部１２Ｂを下側から挿入することができ、取付クランプ３０の上下を逆にすることにより、クランプ本体１１とポケット部材４とが干渉することを避けることが可能となる。図７には、上下を逆にしない取付クランプ３０と、上下を逆にした取付クランプ３０とが示されている。
【００６７】
また、この実施形態でも、取付クランプ３０の全体の上下寸法を小さくすることができ、これにより、取付クランプ１０の小型化を達成できる。
【００６８】
また、ピン部１２はクランプ本体１１に延長部１３を介して設けられ、この延長部１３により、支柱２に対するピン部１２の位置は、この支柱２に設けられているポケット部材４の位置よりも外側となるため、ピン部１２の高さ位置が支柱２におけるポケット部材４の高さ位置と一致又は略一致しても、ピン部１２とポケット部材４とが干渉することをなくすことができる。
【００６９】
なお、この実施形態でも、延長部１３を形成している延長部材４０は、板材の折り曲げ品となっているため、延長部材４０の強度を防音パネル５及びコーナーパネル９の重量を充分支持できる大きさにするために、折り曲げ部を介して接続された状態になっている第１面部４０Ａと第２面部４０Ｂの両方に結合される補強部材を延長部材４０に設けてもよい。
【００７０】
図１２は、第３実施形態に係る取付クランプ５０の正面図であり、図１３は、第４実施形態に係る取付クランプ６０の正面図であり、図１４は、第５実施形態に係る取付クランプ７０の正面図である。図１５は、第５実施形態の取付クランプ７０の平面図であって、図１６は、第５実施形態の取付クランプ７０の側面図である。
【００７１】
これらの第３〜第５実施形態の取付クランプ５０，６０，７０は、図１〜図６で説明した取付クランプ１０、すなわち、同じ高さ位置で水平方向に並設される２個の防音パネル５を取り付けるために用いられる取付クランプと同じ用途のものであるが、これから説明する取付クランプ５０，６０，７０と同様の構造は、図７〜図１１で説明した取付クランプ３０、すなわち、同じ高さ位置で直角に配設される２個の防音パネル５と、これらの防音パネル５の間に配置される１個のコーナーパネル９とを取り付けるために用いられる取付クランプと同じ用途のものにも適用できる。
【００７２】
図１２に示されている第３実施形態の取付クランプ５０は、図１〜図６の取付クランプ１０と同様に、クランプ本体１１に、板材の折り曲げ品となっている延長部材２０による延長部１３を介してピン部１２が設けられており、このピン部１２は、ピン部１２の水平部１２Ａを丸棒又は角棒等による水平部材５１で形成するとともに、ピン部１２の鉛直部１２Ｂを丸棒等による鉛直部材５２で形成したものになっており、水平部材５１の先端に鉛直部材５２が溶接で結合されている。
【００７３】
図１３に示されている第４実施形態の取付クランプ６０も、クランプ本体１１に延長部材２０による延長部１３を介してピン部１２が設けられており、このピン部１２は、水平部１２Ａと鉛直部１２Ｂとが、これらの水平部１２Ａと鉛直部１２Ｂを一体とする一体部材６１により形成されている。この一体部材６１は、例えば、鍛造品であり、鋳造品でもよく、打ち抜き品等でもよい。
【００７４】
なお、図１２及び図１３の取付クランプ５０，６０において、ピン部１２の水平部１２Ａの上下寸法は、ピン部１２の鉛直部１２Ｂの左右寸法や前後寸法よりも大きくなっており、これにより、ピン部１２が防音パネル５の重量を充分支持できるようになっている。
【００７５】
図１４に示されている第５実施形態の取付クランプ７０は、クランプ本体１１に結合された延長部１３と、この延長部１３を介してクランプ本体１１に設けられているピン部１２とが、これらの延長部１３とピン部１２を一体とする一体部材７１により形成されている。このため、ピン部１２の水平部１２Ａと鉛直部１２Ｂも、一体部材７１により一体となって形成されたものになっている。この一体部材７１は、例えば、鍛造品であり、鋳造品でもよい。
【００７６】
この実施形態によると、防音パネル５の重量を充分支持できる強度を取付クランプ７０に付与できるとともに、一体部材７１をクランプ本体１１に溶接又はボルト等の締結具で結合することにより、クランプ本体１１に延長部１３とピン部１２とを同時に設けることができるため、延長部１３とピン部１２とを有する取付クランプ７０を容易に製造することができる。
【００７７】
なお、この取付クランプ７０では、図１４に示されているように、一体部材７１の延長部１３に相当する部分における水平方向の厚さ寸法は、防音パネル５の重量を充分支持できるようにするために、図１２及び図１３の延長部材２０の同方向の厚さ寸法よりも大きくなっているため、この延長部１３に相当する部分には、図１６に示されているように、支柱２のポケット部材４との干渉を避けるための切欠部７１Ａが形成されている。
【産業上の利用可能性】
【００７８】
本発明は、例えば、建築作業現場や解体作業現場等で構築される仮設足場に防音パネルを取り付けるために利用することができる。
【符号の説明】
【００７９】
１  仮設足場
２  仮設足場用支柱
３  仮設足場用構成部材である手摺り部材
４  連結部を形成するポケット部材
５  防音パネル
７  枠部材
８  孔
９  コーナーパネル
１０，３０，５０，６０，７０  取付クランプ
１１  クランプ本体
１２  ピン部
１２Ａ  水平部
１２Ｂ  鉛直部
１３  延長部
２０，４０  延長部材
２１，２２  ピン部材
２１Ａ，２２Ａ  水平部
２１Ｂ，２２Ｂ  鉛直部
２４  補強部材
５１  水平部材
５２  鉛直部材
６１  水平部と鉛直部とが一体となった一体部材
７１  延長部とピン部とが一体となった一体部材
【図１】
2015078569.tif 000003
【図２】
2015078569.tif 000004
【図３】
2015078569.tif 000005
【図４】
2015078569.tif 000006
【図５】
2015078569.tif 000007
【図６】
2015078569.tif 000008
【図７】
2015078569.tif 000009
【図８】
2015078569.tif 000010
【図９】
2015078569.tif 000011
【図１０】
2015078569.tif 000012
【図１１】
2015078569.tif 000013
【図１２】
2015078569.tif 000014
【図１３】
2015078569.tif 000015
【図１４】
2015078569.tif 000016
【図１５】
2015078569.tif 000017
【図１６】
2015078569.tif 000018